(57)【特許請求の範囲】
【請求項１】
上下方向所定寸法ごとにプリーツが設けられたスクリーンの上端がヘッドボックスに固定され、スクリーンの下端がボトムレールに固定されて、ヘッドボックスから昇降可能に垂下された昇降コードがボトムレールに連結されて、昇降コードが昇降することによってスクリーンが畳み上げられるプリーツスクリーンにおいて、
所定ピッチ毎に異なる第１スクリーン要素と第２スクリーン要素とが交互に連続的に連結されたものによってスクリーンが構成され、ヘッドボックスから昇降可能に垂下される第１開閉用コードが各第１スクリーン要素の下端部に順次連結され、ヘッドボックスから昇降可能に垂下される第２開閉用コードが各第２スクリーン要素の下端部に順次連結され、第１開閉用コードと第２開閉用コードとは、どちらか一方の開閉用コードを昇降操作すると、他方の開閉用コードが一方の開閉用コードとは逆方向に昇降するように互いに連結されていることを特徴とするプリーツスクリーン。
【請求項２】
前記第１開閉用コードと第２開閉用コードのそれぞれの下端部同士が連結されることを特徴とする請求項１記載のプリーツスクリーン。
【請求項３】
前記第１開閉用コードと第２開閉用コードは、共通のストッパによって締結可能であることを特徴とする請求項１記載のプリーツスクリーン。
【発明の詳細な説明】
【技術分野】
【０００１】
本発明は、上下方向所定寸法ごとにプリーツが設けられたスクリーンが畳み上げられるプリーツスクリーンに関し、特に複数のスクリーン要素からなるスクリーンを持つプリーツスクリーンに関する。
【背景技術】
【０００２】
従来、複数のスクリーン要素から構成されるスクリーンを持つプリーツスクリーンとしては、特許文献１に記載されたものが知られている。これによれば、スクリーンは異なる種類のスクリーン要素がウエイト材を介して上下方向に交互に連続して連結され、上から奇数番目のウエイト材に、ヘッドボックスから昇降可能に垂下される開閉用コードが順次連結され、上から偶数番目のウエイト材及びボトムレールに、ボトムレールが最下端にあるときに、ウエイト材及びボトムレールのそれぞれの所定間隔を保って支持するための間隔保持コードが順次連結されている。そして、開閉用コードの昇降で、異なる種類のスクリーン要素が畳み込まれた状態と、伸張され露出された状態とに交互に切り換えることができるようになっている。スクリーン要素を複数段として交互に連続した構成としたために、畳み込まれたスクリーン要素の畳み代が一箇所に集中せずに複数段に分散されるために、美観的に好ましいプリーツスクリーンとすることができる。
【０００３】
【特許文献１】特許第３４７５０２０号公報
【発明の開示】
【発明が解決しようとする課題】
【０００４】
しかしながら、上記公報の構成では、スクリーンが２種類のスクリーン要素が上から交互にウエイト材を介して連続して連結されて構成されたものであり、ウエイト材を有しているためにスクリーン要素間に連続性がなく、操作荷重が重くなるという問題がある。また、露出されるスクリーン要素を切り換えるときの開閉用コードの操作ストロークが大きいという問題もある。
【０００５】
本発明はかかる課題に鑑みなされたもので、２種類のスクリーン要素を有する一方で、スクリーンに連続性を持たせて、操作荷重を軽くすることができるプリーツスクリーンを提供することをその目的とする。
【課題を解決するための手段】
【０００６】
前述した目的を達成するために、請求項１記載の発明は、上下方向所定寸法ごとにプリーツが設けられたスクリーンの上端がヘッドボックスに固定され、スクリーンの下端がボトムレールに固定されて、ヘッドボックスから昇降可能に垂下された昇降コードがボトムレールに連結されて、昇降コードが昇降することによってスクリーンが畳み上げられるプリーツスクリーンにおいて、
所定ピッチ毎に異なる第１スクリーン要素と第２スクリーン要素とが交互に連続的に連結されたものによってスクリーンが構成され、ヘッドボックスから昇降可能に垂下される第１開閉用コードが各第１スクリーン要素の下端部に順次連結され、ヘッドボックスから昇降可能に垂下される第２開閉用コードが各第２スクリーン要素の下端部に順次連結され、第１開閉用コードと第２開閉用コードとは、どちらか一方の開閉用コードを昇降操作すると、他方の開閉用コードが一方の開閉用コードとは逆方向に昇降するように互いに連結されていることを特徴とする。
【０００７】
請求項２記載の発明は、請求項１記載の前記第１開閉用コードと第２開閉用コードのそれぞれの下端部同士が連結されることを特徴とする。
【０００８】
請求項３記載の発明は、請求項１記載のものにおいて、前記第１開閉用コードと第２開閉用コードが、共通のストッパによって締結可能であることを特徴とする。
【発明の効果】
【０００９】
請求項１記載の発明によれば、スクリーンが第１スクリーン要素と第２スクリーン要素とから構成され、これらは連続的に直接連結されておりウエイト材などを介することがないために畳み代を小さくすることができる。１つのピッチ毎または少数ピッチ毎に第１スクリーン要素と第２スクリーン要素とを連結すれば、一方のスクリーン要素を畳み込んだときに、その畳み代が一箇所に集中せず、また、一方のスクリーン要素が他方のスクリーン要素に重なるようにして畳み込まれるので、畳み代が嵩張ることがなく、美観的に好ましいものとなる。また、その切換操作において、操作ストロークも小さくてよく、切換が容易である。第１スクリーン要素と第２スクリーン要素が一同に切り換わるため、その動作が美しく、また、新規な印象を使用者に与えることができる。
【００１０】
請求項２記載の発明によれば、一方の開閉用コードを上昇するように操作すると、他方の開閉用コードは必然的に下降するようになり、つまり、一方のスクリーン要素が上昇して畳み込まれると、必然的に他方のスクリーン要素が伸張され露出されるために、スクリーン要素の切換を行うことができる。好ましくは、連結された下端部同士はボトムレールの位置において折り返されるとよい。
【００１１】
請求項３記載の発明によれば、第１開閉用コードと第２開閉用コードとを同じストッパによって締結可能としたために、一方または両方の開閉用コードを操作してストッパを解除することができ、解除した後は、一方または両方の開閉用コードの操作をすれば、スクリーン要素の切換を行うことができ、そのまま一方の開閉用コードの操作を止めることによって、ストッパによって両方の開閉用コードの締結を行うことができる。
【発明を実施するための最良の形態】
【００１２】
以下、図面を用いて本発明の実施の形態を説明する。
【００１３】
図１は本発明の実施形態にかかるプリーツスクリーンを表す斜視図である。
図において、１０はヘッドボックスであり、ヘッドボックス１０に上下方向所定寸法ごとに複数のプリーツが設けられたスクリーン１２の上端が固定されている。スクリーン１２は、１つのピッチ、即ち１つのプリーツごとに異なる第１スクリーン要素１４と第２スクリーン要素１６とが交互に連続して連結されて構成されており、最上段のスクリーン要素１４の上端はヘッドボックス１０に固定され、最下段のスクリーン要素１６の下端はボトムレール２０に固定されている。
【００１４】
本例では、スクリーン要素１４が不透明生地からなり、スクリーン要素１６が半透明生地からなっており、遮蔽率が互いに異なっている。但し、これに限るものではなく、遮蔽率及び／または模様、色等の任意の要素が異なるスクリーン要素の組み合わせとすることができる。
【００１５】
スクリーン１２は、プリーツスクリーンが設けられる開口の高さに対して、スクリーン要素１４、１６全部が伸張し露出した状態の長さが約２倍強の長さになるように設定されている。
【００１６】
ヘッドボックス１０からは、幅方向に所定間隔開けて２本の昇降コード２２が昇降可能に垂下しており、各昇降コード２２は、各スクリーン要素１４、１６のプリーツ部分に設けられた貫通孔１４ａ、１６ａを貫通して、その一端がボトムレール２０に連結されている。また、各昇降コード２２の他端部は、ヘッドボックス１０内に導入された後、ガイド部材２３（図５参照）によって転向されてヘッドボックス１０内を長手方向に誘導されて、ヘッドボックス１０内の端部に設けられたストッパ２４を経てヘッドボックス１０から導出されて操作部２６に連結されている。
【００１７】
同様に、ヘッドボックス１０からは、幅方向に所定間隔開けて２本の２種類の開閉用コード２８、２９が昇降可能に垂下している。図５に拡大展開して示したように、第１開閉用コード２８の一端部は、スクリーン１２の前面に配設されると共に、各スクリーン要素１４の下端部（言い換えれば各スクリーン要素１６の上端部）に連結され、第２開閉用コード２９の一端部は、スクリーン１２の前面に配設されると共に、各スクリーン要素１６の下端部（言い換えれば各スクリーン要素１４の上端部であり、最下段スクリーン要素１６の下端部は除く）に連結される。第１開閉用コード２８と第２開閉用コード２９のそれぞれの一端部の下端部は、ボトムレール２０に設けられたガイド部材２１を周回して連結される。そして、第１開閉用コード２８と第２開閉用コード２９のそれぞれの他端部は、ヘッドボックス１０内に導入されガイド部材３１によって転向されてヘッドボックス１０内を長手方向に誘導された後、ヘッドボックス１０内の端部に設けられた共通のストッパ３０を経てヘッドボックス１０から導出されて操作部３２に連結されると共に、互いに連結される。よって、第１開閉用コード２８と第２開閉用コード２９とはエンドレスのコードとなっている。
【００１８】
ストッパ３０は公知のストッパとすることができ、第１開閉用コード２８と第２開閉用コード２９の他端部を引き操作することにより各開閉用コードの締結解除を行い、また、その引き操作を停止することにより、第１開閉用コード２８及び第２開閉用コード２９の一端部に作用するスクリーン１２の重力により該一端部が下降しようとする際に、各開閉用コードに締結して開閉用コードの移動を禁止するものである。
【００１９】
尚、この実施形態では、ストッパ２４とストッパ３０とがヘッドボックス１０内でそれぞれ左右に離反されて配されており、操作部２６と操作部３２とが左右に分かれて配されているが、ヘッドボックス１０の片側端部にすべて配することも可能である。
【００２０】
以上のように構成されたプリーツスクリーンは図１に示したように、第１開閉用コード２８の一端部が下降した状態にあり第２開閉用コード２９の一端部が上昇した状態にある場合には、第１スクリーン要素１４が伸張されて露出されており、第２スクリーン要素１６は挟まれて畳み込まれており、主にプリーツスクリーンの設けられた開口は、不透明生地からなるスクリーン要素１４によって覆われることになるので、遮光状態にある。
【００２１】
この遮光状態から操作部３２を操作してストッパ３０を解除した後、第１開閉用コード２８の他端部を引いて第１開閉用コード２８の一端部を上昇させると共に第２開閉用コード２９の一端部を下降させた後、ストッパ３０を締結させて第１開閉用コード２８を保持させると、第１スクリーン要素１４が畳み込まれ、畳み込まれていた第２スクリーン要素１６が伸張して露出する。図２に示したように、プリーツスクリーンの設けられた開口は、主に半透明生地よりなる第２スクリーン要素１６によって覆われることになり、光を外部から採り入れることができるシースルー状態となる。
【００２２】
また、操作部３２を再び操作してストッパ３０を解除した後、第２開閉用コード２９の他端部を引いて第２開閉用コード２９の一端部を上昇させると共に第１開閉用コード２８の一端部を下降させた後、ストッパ３０を締結させて第２開閉用コード２９を保持させると、第２スクリーン要素１６が畳み込まれ、畳み込まれていた第１スクリーン要素１４が伸張して再度露出され、遮光状態となる。
【００２３】
また、図１及び図２の中間位置にて各開閉用コードを保持させた場合には、図３に示すように、遮光部分とシースルー部分とを交互にすることができる。
【００２４】
このように、第１開閉用コード２８と第２開閉用コード２９の昇降で、異なる種類のスクリーン要素１４、１６が畳み込まれた状態と、伸張され露出された状態とを交互に切り換えることができる。
【００２５】
また、操作部２６を操作して昇降コード２２を上昇させると、ボトムレール２０が、順次スクリーン要素１６、１４を畳み上げていくので、所望の高さまで上昇させた後、ストッパ２４を締結させて昇降コード２２を保持させると、プリーツスクリーンが設けられた開口を開放した状態に保持することができる。
【００２６】
スクリーン１２が第１スクリーン要素１４と第２スクリーン要素１６とから構成され、これらは連続的に直接連結されており、ウエイト材などを介することがないために畳み代を小さくすることができる。また図示の例のように１つのピッチ毎または少数ピッチ毎に第１スクリーン要素１４と第２スクリーン要素１６とが連結されているので、一方のスクリーン要素を畳み込んだときに、その畳み代が一箇所に集中せずに、一方のスクリーン要素が他方のスクリーン要素に重なるようにして畳み込まれるので、畳み代が嵩張ることがなく、美観的に好ましい。また、その切換操作において、１つのピッチ分に対応する操作量となるため、操作量は少なく操作は容易である。第１スクリーン要素１４と第２スクリーン要素１６が一同に切り換わるため、その動作が美しく、また、新規な印象を使用者に与えることができる。
【００２７】
また、この実施形態では、第１開閉用コード２８と第２開閉用コード２９との下端部が連結されてエンドレスのコードを構成していることによって、一方の開閉用コードを下降するように操作すると、他方の開閉用コードは必然的に上昇するようになっている。つまり、一方のスクリーン要素が伸張され露出されると、必然的に他方のスクリーン要素は上昇して畳み込まれるために、確実にスクリーン要素の切換を行うことができる。
【００２８】
また、第１開閉用コード２８と第２開閉用コード２９とは、異なるストッパで締結・解除可能とすることもできるが、これらを同じ共通のストッパ３０によって締結・解除可能としたために、一方または両方の開閉用コードを操作してストッパ３０を解除した後は、一方または両方の開閉用コードの他端部の引き操作を行えば、スクリーン要素の切換を行うことができ、そのまま一方の開閉用コードの操作を止めることによって、ストッパ３０によって再度両方の開閉用コードの締結を行うことができる。
【００２９】
図６は、本発明の第２実施形態にかかるプリーツスクリーンの斜視図であり、第１スクリーン要素１４のみが露出した状態（遮光状態）を示す。
【００３０】
この実施形態では、第１開閉用コード２８と第２開閉用コード２９とはそれぞれ独立に設けられており、図７に拡大展開して示したように、第２開閉用コード２９の下端部はボトムレール２０に固定され、上端部はヘッドボックス１０に固定され、第２開閉用コード２９は昇降可能とはなっていない点で、第１実施形態と異なっている。この場合には、昇降可能となった第１開閉用コード２８の一端部を上昇させることにより、第１スクリーン要素１４を畳み込んで、第２スクリーン要素１６を伸張させて露出させることができ、第１開閉用コード２８の一端部を下降させることにより、第１スクリーン要素１４を伸張させて露出させ、第２スクリーン要素１６を畳み込むことができる。
【００３１】
以上の実施形態では、第１スクリーン要素１４と第２スクリーン要素１６は、１つのピッチ、即ち１つのプリーツ毎に交互に連結されていたが、これに限るものではなく、少数ピッチ毎に交互に連結することも可能である。
【図面の簡単な説明】
【００３２】
【図１】本発明の実施形態にかかるプリーツスクリーンの斜視図であり、第１スクリーン要素のみが露出した状態（遮光状態）を示す。
【図２】本発明の実施形態にかかるプリーツスクリーンの斜視図であり、第２スクリーン要素のみが露出した状態（シースルー状態）を示す。
【図３】本発明の実施形態にかかるプリーツスクリーンの斜視図であり、第１スクリーン要素と第２スクリーン要素が半分ずつ露出した状態（中間遮光状態）を示す。
【図４】本発明の実施形態にかかるプリーツスクリーンの斜視図であり、スクリーンが畳み上げられた状態を示す。
【図５】本発明の実施形態にかかるプリーツスクリーンのコードの配回しを表す拡大展開部分斜視図である。
【図６】本発明の第２実施形態にかかるプリーツスクリーンの斜視図であり、第１スクリーン要素のみが露出した状態（遮光状態）を示す。
【図７】本発明の第２実施形態にかかるプリーツスクリーンのコードの配回しを表す拡大展開部分斜視図である。
【符号の説明】
【００３３】
１０  ヘッドボックス
１２  スクリーン
１４  第１スクリーン要素
１６  第２スクリーン要素
２０  ボトムレール
２２  昇降コード
２８  第１開閉用コード
２９  第２開閉用コード
３０  ストッパ
【図１】
0004480643.tif 000002
【図２】
0004480643.tif 000003
【図３】
0004480643.tif 000004
【図４】
0004480643.tif 000005
【図５】
0004480643.tif 000006
【図６】
0004480643.tif 000007
【図７】
0004480643.tif 000008